(57)【要約】【課題】ビューポート内面への反応生成物の付着を効率よく防止することができ、気流の影響をより確実に抑制してレーザー光等による光学的な観察、測定を確実に行うことができる気相成長装置を提供する。【解決手段】フローチャンネル１３の基板対向壁１３ｂに、ビューポート２０を介して基板面を光学的に観測する際の光路となる通孔１３ｃを設け、前記基板対向壁とチャンバーの内側面との間に光路部２４ａを有する冷却手段２４を配置し、該冷却手段と前記基板対向壁との間にパージガス流路２５を設け、該パージガス流路内に、前記フローチャンネル内を流れる原料ガスＡの流れ方向と同一方向で、実質的に同一速度、同一圧力で、かつ、層流状態でパージガスＰを流すためのパージガス導入手段２５ａを設ける。【選択図】図１
2010225743.tif 000002
【特許請求の範囲】
【請求項１】
チャンバーと、該チャンバー内に配置されたフローチャンネルと、該フローチャンネル内に設置された基板と、該基板を加熱する加熱手段と、前記フローチャンネル内に反応ガスを供給する反応ガス供給手段と、前記チャンバーに設けられたビューポートとを備えた気相成長装置において、前記フローチャンネルの基板対向壁に、前記ビューポートを介して基板面を光学的に観測する際の光路となる通孔を設け、前記基板対向壁とチャンバーの内側面との間に光路部を有する冷却手段を配置し、該冷却手段と前記基板対向壁との間にパージガス流路を設け、該パージガス流路内に、前記フローチャンネル内を流れる原料ガスの流れ方向と同一方向で、実質的に同一速度、同一圧力で、かつ、層流状態でパージガスを流すためのパージガス導入手段を設けたことを特徴とする気相成長装置。
【請求項２】
前記ビューポートは、該ビューポート内にパージガスを導入するビューポート用パージガス導入手段を備えていることを特徴とする請求項１記載の気相成長装置。
【請求項３】
前記冷却手段は、前記基板を保持して前記加熱手段により加熱されるサセプタの大きさに対応した大きさを有していることを特徴とする請求項１又は２記載の気相成長装置。
【請求項４】
前記基板は、回転するサセプタの中心から等距離の位置に周方向に複数が設けられ、前記反応ガスは、前記回転するサセプタの回転中心からサセプタ外周に向かって流れることを特徴とする請求項１乃至３のいずれか１項記載の気相成長装置。
【発明の詳細な説明】
【技術分野】
【０００１】
本発明は、フローチャンネルを収納したチャンバーに、基板面を光学的に観測するためのビューポートを備えた気相成長装置に関し、特に、有機金属系半導体薄膜、特に窒化物系有機金属系半導体膜を基板面に成長させる気相成長装置に関する。
【背景技術】
【０００２】
気相成長装置として、気相成長中における基板面の温度や反り、成長中の薄膜の膜厚や組成等を光学的機器によって観察、測定するため、チャンバーの天板部に耐腐食性・耐熱性を有する石英ガラスを嵌め込んだ観察窓（ビューポート）を設けたものが知られており、このビューポートの内面に反応生成物等が付着して曇ることを防止するためにパージガスを流通させたり、基板温度測定時の熱的影響を回避するためにビューポートの一部を熱反射率の低い材料で遮蔽したりしている（例えば、特許文献１参照。）。
【０００３】
また、光エネルギーを利用する光励起型の気相成長装置として、光導入窓を有する外部管の内部に光導入穴（通孔）を有する内部管を収納した二重管構造の反応管を使用し、内部管の内側に原料ガスを流し、外部管と内部管との間にキャリアガス（パージガス）を流し、光導入穴の近傍で原料ガスとキャリアガスとの流速を略等しくすることにより、光導入穴を通して内部管内から原料ガスが流出することを防止し、これによって光導入窓の内面に反応生成物が付着して曇りを生じることを防止することが提案されている（例えば、特許文献２参照。）。
【０００４】
さらに、光導入孔を有するフローチャンネルとビューポートとの間にパージ流路を設け、このパージ流路に原料ガスと同方向、同流速のパージガスを流し、光導入孔を通したガスの出入りを抑制することが提案されている（例えば、特許文献３参照。）
【先行技術文献】
【特許文献】
【０００５】
【特許文献１】特開２００１−６８４１５号公報
【特許文献２】特開昭６２−１８８２１８号公報
【特許文献３】特開２００８−５３３６０号公報
【発明の概要】
【発明が解決しようとする課題】
【０００６】
特許文献１に記載された構成と特許文献２に記載された構成とを組み合わせれば、フローチャンネル内面に付着する反応生成物による悪影響を通孔を設けることによって解決できるとともに、通孔の外部側にキャリアガスを略等速で流して原料ガスの流出を防止することによってビューポート内面に反応生成物が付着することを防止できる。
【０００７】
しかし、特許文献２に記載されているような二重管構造では、キャリアガス（パージガス）が流れる流路の断面積が大きくなり、大量のキャリアガスを流す必要があり、キャリアガス自体のコストだけでなく、排気ポンプも大容量のものが必要になる。さらに、基板をサセプタにより保持して回転させるととともに、サセプタ裏面に設けたヒーターによって基板を加熱する横型の気相成長装置では、反応管やヒータ部分、サセプタ支持部分等の構造が複雑になり、装置コストが大幅に上昇してしまう。
【０００８】
また、薄膜を常圧に近い圧力で成膜する場合、チャンバー内のガスの気流で、光線、例えばレーザー光が揺らぎ、基板面を正確に観測できなくなることがあった。例えば、成膜中の基板面の高さや回転による揺れは、適当な角度で基板面に照射したレーザー光を反射位置で測定することによって行われるが、気流によってレーザー光が揺らぐとノイズが大きくなり、測定が不可能になることがあった。
【０００９】
さらに、特許文献３に記載されている構造では、処理温度などの条件によっては、フローチャンネルからの熱を受けてパージガスが昇温し、昇温したパージガスが上昇気流となって気流を乱し、ノイズを十分に小さくできなくなることがあった。
【００１０】
そこで本発明は、ビューポート内面への反応生成物の付着を効率よく防止することができ、気流の影響をより確実に抑制してレーザー光等による光学的な観察、測定を確実に行うことができる気相成長装置を提供することを目的としている。
【課題を解決するための手段】
【００１１】
上記目的を達成するため、本発明の気相成長装置は、チャンバーと、該チャンバー内に配置されたフローチャンネルと、該フローチャンネル内に設置された基板と、該基板を加熱する加熱手段と、前記フローチャンネル内に反応ガスを供給する反応ガス供給手段と、前記チャンバーに設けられたビューポートとを備えた気相成長装置において、前記フローチャンネルの基板対向壁に、前記ビューポートを介して基板面を光学的に観測する際の光路となる通孔を設け、前記基板対向壁とチャンバーの内側面との間に光路部を有する冷却手段を配置し、該冷却手段と前記基板対向壁との間にパージガス流路を設け、該パージガス流路内に、前記フローチャンネル内を流れる原料ガスの流れ方向と同一方向で、実質的に同一速度、同一圧力で、かつ、層流状態でパージガスを流すためのパージガス導入手段を設けたことを特徴としている。
【００１２】
さらに、本発明の気相成長装置は、前記ビューポート内にパージガスを導入するビューポート用パージガス導入手段を備えていること、前記冷却手段が、前記基板を保持して前記加熱手段により加熱されるサセプタの大きさに対応した大きさを有していること、前記基板が回転するサセプタの回転中心から等距離の位置に周方向に複数が設けられ、前記反応ガスが前記回転するサセプタの回転中心からサセプタ外周に向かって流れることを特徴としている。
【発明の効果】
【００１３】
本発明の気相成長装置によれば、フローチャンネルに通孔を設けることによってフローチャンネル内面に反応生成物が付着しても、基板面の光学的観測を確実に行うことができるとともに、特定の条件でパージガスを流すことにより、少ないパージガス量で原料ガスや反応生成物が通孔からビューポート側へ流出することを防止でき、ビューポート内面に反応生成物等が付着して曇ることを防止できるとともに、パージガスがフローチャンネル内に流入して成膜中の薄膜に悪影響を及ぼすことを防止できる。さらに、フローチャンネルの通孔とビューポートとの間に設けた冷却手段によってパージガスの昇温を抑えることができ、パージガスの熱対流が大幅に減少するため、レーザー等を光源とした光測定系のノイズを低減することができる。
【００１４】
また、基板対向壁にのみパージガス流路を設けているので、パージガス量を少なくでき、パージガス自体のコスト低減を図れ、排気ポンプの小型化によって装置コストも低減できる。さらに、基板を保持するサセプタや基板を加熱するためのヒーター等の配置を従来の一般的な気相成長装置と同様にして行うことができ、装置コストの上昇を抑えることができる。さらに、フローチャンネルの内面も冷却手段によって冷却することができるので、分解した原料ガスの付着も抑えることができ、フローチャンネルの洗浄回数を少なくすることができ、また、付着してもフレーク状になるので、簡単な洗浄作業で付着物を除去することができる。したがって、気相成長操作全体としての経済性を向上させることができる。
【図面の簡単な説明】
【００１５】
【図１】本発明の気相成長装置の一形態例を示す要部の断面図である。
【発明を実施するための形態】
【００１６】
基板１１は、軸線１２ａを中心として回転する円盤状のサセプタ１２の上面で、サセプタ１２の回転中心である軸線１２ａから等距離の位置に基板面を水平方向に向けて複数枚が同心円上に等間隔で保持され、フローチャンネル１３の所定位置に配置される。フローチャンネル１３等は、密閉状態のチャンバー１４内に収納されており、該チャンバー１４の中心に設けられた反応ガス供給手段である反応ガス導入口１３ａからフローチャンネル１３内に反応ガスＡが基板面と平行な方向に層流状態で導入され、基板面を通過したガス（排ガスＢ）は、フローチャンネル１３の外周部分に連設した排気部１５から排出される。
【００１７】
前記サセプタ１２の下方には、箱状のリフレクター１６に収容された加熱手段であるヒーター１７が設けられており、このヒーター１７によりサセプタ１２を介して基板１１を所定温度に加熱する。また、サセプタ１２は、回転軸１８によって支持されており、この回転軸１８でサセプタ１２を回転させることにより、基板１１を回転させて基板上に形成する薄膜の膜厚を平均化させるようにしている。
【００１８】
前記チャンバー１４の天板部１４ａには、回転するサセプタ１２に設置される複数の基板１１の中心位置が通過する円周上の１箇所にビューポート用開口１４ｂが設けられており、このビューポート用開口１４ｂには、ビューポート２０を形成する窓部材２１が嵌め込まれている。この窓部材２１は、円盤状の透光性材料、例えば、耐腐食性・耐熱性を有する石英ガラスからなるもので、外周部をシール材２２によって気密にシールした状態で止着部材２３により着脱可能に固定されている。
【００１９】
また、前記フローチャンネル１３の基板対向壁（上部壁）１３ｂには、ビューポート２０の中心部に対応した位置に、基板面を光学的に観測する際の光路となる通孔１３ｃが設けられており、上部壁１３ｂの外側面とチャンバー１４の内側面との間には、通孔１３ｃに対応した位置に光路部となる貫通孔２４ａを有する冷却手段２４が設けられるとともに、該冷却手段２４と前記上部壁１３ｂとの間にパージガス流路２５が設けられている。
【００２０】
パージガス流路２５を流れるパージガスＰは、流量調節機構及び圧力調整機構によって所定圧力、所定流量に調整されてパージガス導入手段であるパージガス導入管２５ａの先端部分からパージガス流路２５内に導入され、外周部に設けた排気口（図示せず）から流出して前記排ガスＢと合流し、前記排気部１５から排出される。あるいは、排ガスＢとは合流せずに、単独で排気されて除害設備等に送られる。
【００２１】
ここで、前記パージガス流路２５を流れるパージガスＰは、フローチャンネル１３内を基板１１の上面と平行な方向に層流状態で流れる反応ガスに対して、流れ方向が同一方向、実質的に同一速度、同一圧力で、かつ、層流状態で流れるように設定され、前記パージガス流路２５の流路断面形状や流路断面積は、これらの条件を満たすことができるように設定される。
【００２２】
なお、パージガス流路２５内を流れるパージガスの流速及び圧力は、フローチャンネル１３内を流れる反応ガスの流速及び圧力に対して同一であることが望ましいが、両ガスの条件、フローチャンネル１３及びパージガス流路２５の形状、フローチャンネル１３に設けた通孔１３ｃの形状や位置によってパージガスの流速や圧力には適正な範囲が存在する。例えば、パージガスの流速や圧力が反応ガスの流速や圧力より低く、フローチャンネル１３内の反応ガスが通孔１３ｃを通ってパージガス流路２５に流出しても、パージガスに同伴されて速やかに排出され、ビューポート２０にまで至らない状態ならば、基板面の光学的観測及び成膜に影響を与えることはない。
【００２３】
逆に、パージガスの流速や圧力が反応ガスの流速や圧力より高くてパージガスがフローチャンネル１３内に流入する条件でも、パージガスが基板面に達することがなく、また、パージガスが反応ガスの流れを大きく乱すことがなければ、薄膜の膜厚分布や膜質に影響を与えることはない。さらに、通孔１３ｃをサセプタ１２の中心より下流側に設けることにより、フローチャンネル１３からの反応ガスの流出や、フローチャンネル１３内へのパージガスの流入による影響をより少なくすることができる。
【００２４】
また、高温状態のサセプタ１２や基板１１、フローチャンネル１３の上部壁１３ｂによってパージガスが加熱されるような状態であっても、冷却手段２４の内部を流れる冷却流体によってパージガスが昇温することを抑制できるので、パージガス自体の熱対流が抑制でき、測定光の揺らぎを防止して正確な観察、測定を行うことができる。さらに、パージガス流路２５内のパージガスの流れを層流状態とすることにより、乱流状態のときに比べて気流による光の揺らぎを抑えることができ、より精密な測定を行うことができる。
【００２５】
さらに、ビューポート２０内に、窓部材２１の内面に向けてパージガスを導入するビューポート用パージガス導入手管２６を設けることにより、窓部材２１の内面に付着物が付着することを防止できる。また、冷却手段２４を、サセプタ１２の大きさに対応した大きさ、例えばサセプタの全体に対応した大きさとしたり、原料ガスの流れ方向上流側から一定の距離の部分を除いてガス流れ方向下流側に対応した大きさとしたりすることにより、フローチャンネル１３の上部壁１３ｂを効果的に冷却することができるので、分解した原料ガスが上部壁１３ｂ内面に付着することを抑えることができ、フローチャンネルの洗浄回数を少なくすることができ、また、付着してもフレーク状になるので、簡単な洗浄作業で付着物を除去することができる。
【００２６】
なお、パージガスの種類は任意であり、この種の装置で通常パージガスとして用いられている窒素、水素、アルゴン等を使用することができる。また、ビューポートは、基板表面の状態を観察できれば任意の構造を採用することができ、ビューポートを設ける位置は、基板表面の状態を観察したり、測定したりできる範囲で任意に選択できるが、通孔によって反応ガスの流れに乱れが生じることを抑えるため、できるだけ反応ガスの流れ方向下流側に配置することが好ましい。また、測定機器への熱的影響を避けるため、ビューポートの外側あるいは内側に赤外線反射膜を設けることもできる。
【符号の説明】
【００２７】
１１…基板、１２…サセプタ、１２ａ…軸線、１３…フローチャンネル、１３ａ…反応ガス導入口、１３ｂ…上部壁、１３ｃ…通孔、１４…チャンバー、１４ａ…天板部、１４ｂ…ビューポート用開口、１４ｃ…凹状部、１５…排気部、１６…リフレクター、１７…ヒーター、１８…回転軸、２０…ビューポート、２１…窓部材、２２…シール材、２３…止着部材、２４…冷却手段、２４ａ…貫通孔、２５…パージガス流路、２５ａ…パージガス導入管、２６…ビューポート用パージガス導入手段
【図１】
2010225743.tif 000003